(57)【特許請求の範囲】
【請求項１】
建造物の外縁部上端に固定するホルダと、建造物の外縁部上端との間に間隔をあけて配置しており且つ縦断面が略三角形状の雪庇防止部材と、ボルトと、ナットとを備え、雪庇防止部材は建造物の外側に設ける垂直板と、底板と、建造物の内側に設けた傾斜板とから構成されており、垂直板の下端には建造物の内側に向けて突設した係止部が設けられており、ホルダに設けてあるボルト係合部にボルトの一端を係合し、底板と垂直板の係止部とにボルトの他端を挿通してナットで固定してあり、傾斜板の上端は垂直板の上端に固定し且つ傾斜板の下端は底板に固定してあることを特徴とする雪庇防止装置。
【請求項２】
ホルダと雪庇防止部材との間に台座を備え、台座により建造物の外縁部上端と雪庇防止部材との間に間隔を形成しており、台座とホルダとの間に笠木を配置して、笠木をホルダに固定していることを特徴とする請求項１に記載の雪庇防止装置。
【請求項３】
建造物の外縁部上端に固定するホルダと、縦断面が略三角形状の雪庇防止部材と、ホルダと雪庇防止部材との間に配置する台座と、ボルトと、ナットとを備え、雪庇防止部材は建造物の外側に設ける垂直板と、底板と、建造物の内側に設けた傾斜板とから構成されており、垂直板の下端には建造物の内側に向けて突設した係止部が設けられており、底板と垂直板の係止部とはこれらに挿通したボルトとナットで台座に固定してあり、傾斜板の上端は垂直板の上端に固定し且つ傾斜板の下端は底板に固定してあることを特徴とする雪庇防止装置。
【請求項４】
雪庇防止部材の上端にはヒータが内蔵されていることを特徴とする請求項１〜３のいずれかに記載の雪庇防止装置。
【発明の詳細な説明】
【０００１】
【発明の属する技術分野】
本発明は、ビル等の建造物の外縁部上端に取り付ける雪庇防止装置に関する。
【０００２】
【従来の技術】
一般に、寒冷地等では、建造物の屋上等に積った雪が、風の影響を受けて屋上の外縁部（パラペット）に雪庇が発生する場合がある。このような雪庇を防止するため、建造物の内側を傾斜部とした断面が略三角形状の雪庇防止部材を屋上の外縁部に設ける技術が公知である。
【０００３】
このような雪庇防止装置として、特許第２８８２９８８号公報には、板材を垂直部と傾斜部とに折り曲げて全体を略逆Ｖ字形状に形成し、底板に立設した第２支柱に被せて第２支柱にネジ止めするとともに、第２支柱をホルダに立設した第１支柱にボルト・ナットで固定する技術が開示されている（第１の従来技術）。
【０００４】
また、特開平１０−６１１３２号公報には、断面略三角形状の雪庇防止部材を押出成形により得ることが開示されており、換言すれば、この雪庇防止部材は断面略三角形状のホロー形材である。そして、ホロー形材製の雪庇防止部材を建造物の外縁部上端に固定したホルダに嵌合固定することが開示されている（第２の従来技術）。
【０００５】
【発明が解決しようとする課題】
しかしながら、上述した第１の従来技術では、雪庇防止部材は板材を折り曲げ形成しているため製造コストが高くなるとともに、略逆Ｖ字形状に折り曲げる場合には曲げ部分に皹が入り易く、皮膜形成や塗装等の先仕上げができないので、製造し難いという問題がある。
【０００６】
第２の従来技術では、雪庇防止部材をホルダに嵌合するだけであるから、取り付け強度に劣るという問題がある。
【０００７】
また、雪庇防止部材はホロー形材であるため、製造時における押出形材のサイズ制限を受け、大型のものが製造し難いという問題がある。
【０００８】
更に、第１及び第２の従来技術では、仮に雪庇防止部材として大型のＶ字形状やホロー形状のものを用いた場合、重量が嵩み、施工や搬送時に取扱い難いという問題がある。
【０００９】
本発明は、上述した事情に鑑みなされたもので、製造コストが安価で、大型のものでも容易に製造及び施工ができ、取り付け強度に優れ且つ施工や搬送時に取扱い易い雪庇防止装置の提供を目的とする。
【００１０】
【課題を解決するための手段】
上記目的を達成するために、請求項１に記載の発明は、建造物の外縁部上端に固定するホルダと、建造物の外縁部上端との間に間隔をあけて配置しており且つ縦断面が略三角形状の雪庇防止部材と、ボルトと、ナットとを備え、雪庇防止部材は建造物の外側に設ける垂直板と、底板と、建造物の内側に設けた傾斜板とから構成されており、垂直板の下端には建造物の内側に向けて突設した係止部が設けられており、ホルダに設けてあるボルト係合部にボルトの一端を係合し、底板と垂直板の係止部とにボルトの他端を挿通してナットで固定してあり、傾斜板の上端は垂直板の上端に固定し且つ傾斜板の下端は底板に固定してあることを特徴とする。
【００１１】
この請求項１に記載の発明では、断面略三角形状の雪庇防止部材は、垂直板と、底板と、傾斜板との３つの板材から構成されているので、折り曲げやホロー形材を用いる場合に比較して製造コストが安価である。また、大型の雪庇防止部材とする場合であっても、折り曲げやホロー形材の製造のように製造上のサイズ制限を受けることなく、安価に製造できる。また、雪庇防止部材を３つの主要部材に分けて搬送及び施工できるので、重量を分散でき且つ取扱い易い。
【００１２】
施工の際には、建造物の外縁部上端にホルダを固定し、ホルダのボルト係合部にボルトの一端を係合し、底板に垂直板の下端に設けた係止部を重ね、底板と垂直板の係止部とにボルトの他端を挿通してナットを締め付ける。次に、傾斜板を取り付けるが、傾斜板の上端は垂直板の上端にネジや嵌合等により固定し、傾斜板の下端は底板にネジや嵌合等により固定する。
【００１３】
ホルダと雪庇防止部材とは、ボルトとナットで固定しているので雪庇防止部材を高い強度で固定できる。しかも、ナット締めは、傾斜板を外した状態で建造物の外縁部の内側からでき、施工し易く且つ安全である。
【００１４】
請求項２に記載の発明は、請求項１に記載の発明において、ホルダと雪庇防止部材との間に台座を備え、台座により建造物の外縁部上端と雪庇防止部材との間に間隔を形成しており、台座とホルダとの間に笠木を配置して、笠木をホルダに固定していることを特徴とする。
【００１５】
この請求項２に記載の発明では、請求項１に記載の作用効果を奏するとともに、建造物の外縁部上端に笠木を取り付ける場合に、雪庇防止装置のホルダが笠木のホルダを兼ねているので、別途笠木用のホルダが必要ない。
【００１６】
請求項３に記載の発明は、建造物の外縁部上端に固定するホルダと、縦断面が略三角形状の雪庇防止部材と、ホルダと雪庇防止部材との間に配置する台座と、ボルトと、ナットとを備え、雪庇防止部材は建造物の外側に設ける垂直板と、底板と、建造物の内側に設けた傾斜板とから構成されており、垂直板の下端には建造物の内側に向けて突設した係止部が設けられており、台座に設けてあるボルト係合部にボルトの一端を係合し、底板と垂直板の係止部とにボルトの他端を挿通してナットで固定してあり、傾斜板の上端は垂直板の上端に固定し且つ傾斜板の下端は底板に固定してあることを特徴とする。
【００１７】
この請求項３に記載の発明では、台座にボルトの一端を係止して雪庇防止部材をボルトとナットで固定している点が上述した請求項１と異なり、それ以外は請求項１と同じ構成なので、雪庇防止部材を台座に係合したボルトで固定する点以外は上述した請求項１に記載の発明と同様な作用効果を得ることができる。
【００１８】
請求項４に記載の発明は、請求項１〜３のいずれかに記載の発明において、雪庇防止部材の上端にはヒータが内蔵されていることを特徴とする。
【００１９】
この請求項４に記載の発明は、請求項１〜３のいずれかに記載の発明において、雪庇防止部材にヒータを設けることにより、雪の氷着を防止でき、雪庇の発生防止を更に高めることができる。
【００２０】
【発明の実施の形態】
以下に、添付図面を参照して本発明の実施の形態を詳細に説明する。図１は本発明の実施の形態にかかる雪庇防止装置の縦断面図であり、図２は図１に示す雪庇防止装置の分解斜視図であり、図３は図１に示す雪庇防止装置の外観を示す斜視図である。
【００２１】
本発明の実施の形態に係る雪庇防止装置１は、ビルの屋上の外縁部（パラペット）２の上に設けるものであり、外縁部２に固定するホルダ３と、台座５と、雪庇防止部材７と、これらを固定するボルト９とナット１１から構成されている。
【００２２】
ホルダ３は、外縁部２の長手方向に所定間隔をおいて配置されている。このホルダ３は、押出成形された断面略コ字形状のアルミニウム合金製であり、外縁部２の上端に被せるようにして配置し、ボルト１３により外縁部２に固定されている。また、ホルダ３は、建造物の外側及び内側に位置する下端１５、１７が外縁部２から離れており、これらの外側端１５及び内側端１７に後述する笠木１９が係止するようになっている。
【００２３】
ホルダの上面には２つのボルト係合部２１、２１が形成されており、これらのボルト係合部２１、２１はそれぞれ溝状になって、ボルト９の頭（一端）９ａを移動可能に係合している。したがって、ボルト９の位置が調整自在である。
【００２４】
ホルダ３と台座５との間には笠木１９が配置されている。この笠木１９は外側下端２３を内側に向け、内側下端２５を外側に向けて、それぞれホルダ３の外側端１５と内側端１７に係止されている。笠木１９の上面にはボルト９、９の挿通孔２７、２７が形成されている。
台座５は、笠木１９と雪庇防止部材７との間に設けて空間Ｓを形成している。このように台座５を設けることにより、雪庇防止部材を安定に固定できるとともに、空間Ｓから建物の屋上面に沿って流れる風を外側に誘導し、屋上の積雪を軽減できる。台座５には、ボルト９、９の挿通孔２８、２８が上下に形成されている。
【００２５】
雪庇防止部材７は、縦断面が略三角形状であり、底板２９、垂直板３１、傾斜板３３とから構成されている。各底板２９、垂直板３１及び傾斜板３３はそれぞれアルミニウム合金製の押出し形材である。少なくとも傾斜板３３をアルミニウム合金製の形材とすることにより、雪を滑り易くするためのフッ素処理等の表面処理を簡単に施すことができる。また、雪庇防止部材７は、３枚の板を接合して構成し、骨組み構造を必要としないから組立てが容易である。
【００２６】
底板２９には外側端を上に向けた係合部２９ａが設けてあり、この係合部２９ａに垂直板３１の下端に形成された凹状の被係合部３１ａが係合するようになっている。底板２９の内側端は、斜め上方に突設して傾斜板３３の下端を受ける下受け部２９ｂが形成されており、この下受け部２９ｂに傾斜板３３の下端３３ａが固定されている。下受け部２９ｂには、傾斜板３３の下端３３ａに形成された被係合部４１に嵌合する係合部３４が形成されている。被係合部４１は突条であり、係合部３４は溝条であり、相互に嵌合するようになっている。
【００２７】
垂直板３１は、上端が斜め下方に突設しており、傾斜板３３の上端３３ｂを受ける上受け部３１ｂが設けてあり、この上受け部３１ｂに傾斜板３３の上端３３ｂが固定されている。また、上受け部３１ｂには傾斜板３３の上端３３ｂに形成された被係合部４２が嵌合する係合部３６が形成されている。被係合部４２は突条であり、係合部３６は溝条であり、相互に嵌合するようになっている。
【００２８】
垂直板３１の下端には、略Ｌ字形状になって内側に向けて突設した係止部３１ｃが設けてあり、この係止部３１ｃは底板２９の上面に重なって配置されている。また、係止部３１にはボルト挿通孔３８が形成されている。
【００２９】
傾斜板３３は、その上端３３ｂを垂直板３１に設けた上受け部３１ｂにネジ３７で固定しており、傾斜板３３の下端３３ａは底板２９の下受け部２９ｂにネジ３９で固定してある。また、上述したように、傾斜板３３の上端３３ｂでは被係合部４２が垂直板３１の係合部３６に嵌合し、傾斜板３３の下端３３ａでは被係合部４１が底板２９の係合部３４に嵌合することにより、ネジ固定する前に傾斜板３３を仮置きでき、ネジ留め作業がし易い。
【００３０】
ボルト９は、上述した笠木１９のボルト挿通孔２７、台座の挿通孔２８、底板２９に形成されたボルト挿通孔３２及び垂直板３１の係止部３１ｃに形成しているボルト挿通孔３８にボルト９の他端９ｂを挿通してあり、座金プレート４７を介してナット１１が螺合されている。
尚、底板２９には、水抜き孔６０が形成されている。
【００３１】
次に、本実施の形態における雪庇防止装置１の施工方法及び作用について説明する。施工は、建造物の外縁部２の上端にボルト１３でホルダ３を固定する。次に、ホルダ３のボルト係合部２１、２１にそれぞれボルト９の頭（一端）９ａを係合し、ボルト９を立設する。その後、各ボルト９の他端９ｂに笠木１９のボルト挿通孔２７、台座５のボルト挿通孔２８を挿通し、底板２９に垂直板３１を取り付けて底板２９に垂直板３１の係止部３１ｃを重ねた状態でそれぞれのボルト挿通孔３２、３８にボルト９を挿通する。次に、ボルト９、９に座金プレート４７を挿通し、ナット１１を締め付けてホルダ３に台座５及び雪庇防止部材７を固定する。
【００３２】
ホルダ３と雪庇防止部材７の底板２９とは、ボルト９とナット１１で固定するので雪庇防止部材７を高い強度で固定できる。ナット１１の締めは、傾斜板３３を外した状態で行うので作業し易く位置決めも容易にできる。また、施工作業は建造物の外縁部２の内側からでき安全である。
【００３３】
次に、雪庇防止部材７の傾斜板３３を取り付けるが、傾斜板３３の上端に設けた突条の被係合部４２を垂直板３１の係合部３６に嵌合し、下端に設けた突条の被係合部４１を底板２９の下受け部２９ｂに設けた係合部３４に嵌合して、更に、傾斜板３３の下端を底板２９の受け部２９ｂにネジ３９で止め、傾斜板３３の上端を垂直板３１の上受け部３１ｂにネジ３７で止める。
【００３４】
傾斜板３３は、垂直板３１と底板２９に係止した状態でネジ固定するので、位置合わせやネジ留め作業が容易である。
【００３５】
そして、雪庇防止部材７の長手方向における両側端部にはそれぞれメクラ板５１を固定するが、メクラ板５１は底板２９と垂直板３１に形成されたビスホロー４９にネジ留めする。
【００３６】
尚、長手方向に設けるが隣合う雪庇防止部材７は、それぞれの隣接する端部の内側に連結部材５３を嵌合して連結する。
【００３７】
本発明は、上述した実施の形態に限定されず、本発明の要旨を逸脱しない範囲で種々変形可能である。
【００３８】
例えば、垂直板３１の上端に形成されているビスホロー４９内には、電熱線を配置してヒータによる融雪により雪庇を更に効果的に防止するものであってもよい。また、ヒータを設ける場合にはビスホロー４９に配置することに限らず、別途電熱線用の取付部を設けてもよい。
【００３９】
ホルダ３に設けるボルト係合部２１は溝状にすることに限らず、ボルト係合部２１に雌ネジを形成して、両端に雄ネジが形成されたボルト９の一端９ａを上からボルト係合部２１に螺合するものであってもよい。
【００４０】
また、建造物の外縁部２の上端には笠木１９を設けなくてもよい。この場合には、ホルダ３に笠木１９の係止部１５、１７を設ける必要がない。笠木１９を設けない場合で且つ建造物の外縁部の上端が傾斜している場合には、図４に示すように、ホルダ３と外縁部２の上端との間に傾斜面を受ける別の台座５５を設けてもよい。
【００４１】
図５及び図６に示すように、笠木１９がない場合には、ホルダ３と台座５とを別体に設けることに限らず、ホルダ３に台座５を一体に設けるものであってもよい。
【００４２】
また、ホルダ３と雪庇防止部材７の底板２９とに共通のボルト９を挿通してホルダ３と台座５と雪庇防止部材７とを固定することに限らず、図７に示すように、断面略コ字形状の部材５ａ、５ｂの２つの部材をボルト５０で組みつけて台座５を構成し、一方の部材５ａに雪庇防止部材７をボルト９とナット１１で固定し、他方の部材５ｂをボルト１３でホルダ３に固定するものであってもよい。この図７に示す実施の形態は、台座５を複数の部材から構成する例を示すものであり、台座５を構成する部材の数や形状は制限されるものではない。
【００４３】
尚、図６に示す実施の形態では笠木１９を設けない例を示しており、図７に示す実施の形態では、笠木１９を設けた例を示しているが、図６に示す実施の形態において台座５と建造物の外縁部上端２との間に笠木１９を設けても良いし、図７に示す実施の形態において、台座５と建造物の外縁部上端２との間に笠木１９を設けないものであってもよい。
【００４４】
傾斜板３３は、垂直板３１の上端に設けた上受け部３１ｂと底板２９の内側端に設けた下受け部２９ｂとにそれぞれネジ３７、３９により固定することに限らず、垂直板３１の上受け部３１ｂに設けた係合部３６及び底板２９の下受け部２９ｂに設けた係合部３４に対応する傾斜板の被係合部４１、４２が嵌合固定するだけでもよいし、嵌合固定せずにネジ３７、３９のみによる固定であってもよい。
【００４５】
また、傾斜板３３を底板２９及び垂直板３１に固定する方法は、ネジ３７、３９や係合部３４、３６と被係合部４１、４２による嵌合に限らず、アーク溶接、超音波溶接等であってもよく、固定方法は限定されない。
【００４６】
【発明の効果】
請求項１に記載の発明によれば、断面略三角形状の雪庇防止部材は、垂直板と、底板と、傾斜板との３つの板材から構成されており、各板を相互に連結しているので、折り曲げやホロー形材を用いる場合に比較して安価である。
【００４７】
更に、大型の雪庇防止部材であっても、折り曲げやホロー形材の押出し成形のように製造上のサイズ制限を受けることなく容易に且つ安価に製造できる。また、雪庇防止部材を３つの主要部材に分けて搬送及び施工できるので、重量を分散でき且つ取扱い易い。
【００４８】
ホルダと雪庇防止部材とは、ボルトとナットで固定するので雪庇防止部材を高い強度で固定できる。しかも、ナット締めは、傾斜板を外した状態で且つ建造物の外縁部の内側からでき、施工し易く且つ安全である。
【００４９】
請求項２に記載の発明は、請求項１に記載の効果を奏するとともに、建造物の外縁部上端に笠木を取り付ける場合に、雪庇防止装置のホルダが笠木のホルダを兼ねているので、別途笠木用のホルダが必要ない。
【００５０】
請求項３に記載の発明は、請求項１に記載の発明において雪庇防止部材の固定をホルダに変えて台座に行うものであり、請求項１に記載の発明と同様な効果を奏することができる。
【００５１】
請求項４に記載の発明は、請求項１〜３のいずれかに記載の効果を奏するとともに、雪庇防止部材にヒータを設けることにより、雪の氷着を防止でき、雪庇の発生防止を更に高めることができる。
【図面の簡単な説明】
【図１】本発明の実施の形態にかかる雪庇防止装置の縦断面図である。
【図２】図１に示す雪庇防止装置の分解斜視図である。
【図３】図１に示す雪庇防止装置の外観を示す斜視図である。
【図４】本実施の形態の変形例を示す雪庇防止装置の断面図である。
【図５】本実施の形態の変形例を示すホルダの斜視図である。
【図６】図５のホルダを用いた雪庇防止装置の断面図である。
【図７】本実施の形態の変形例を示す雪庇防止装置の断面図である。
【符号の説明】
１    雪庇防止装置
２    建造物の外縁部
３    ホルダ
５    台座
７    雪庇防止部材
９    ボルト
９ａ  ボルトの頭（ボルトの一端）
９ｂ  ボルトの他端
１１  ナット
２１  ボルト係合部
１９  笠木
２９  底板
３１  垂直板
３１ｃ  係止部
３３  傾斜板
【図１】
0003693170.tif 000002
【図２】
0003693170.tif 000003
【図３】
0003693170.tif 000004
【図４】
0003693170.tif 000005
【図５】
0003693170.tif 000006
【図６】
0003693170.tif 000007
【図７】
0003693170.tif 000008